(57)【要約】      （修正有）【課題】透光性の中枠、キー、光源及び薄膜スイッチング回路を備えた発光キーボードにおいて、キーの照度を均等にする発光キーボードを提供する。【解決手段】透光性の中枠と、透光性の中枠上に設置された薄膜スイッチング回路と、透光性の中枠に連接され、押下されると薄膜スイッチング回路に当接する少なくとも１つのキーと、キーと透光性の中枠の間にあって光ビームを生じる光源とを含むことを特徴とする発光キーボードを提供する。【選択図】図４
2012079277.tif 000002
【特許請求の範囲】
【請求項１】
透光性の中枠と、
前記透光性の中枠上に設置された薄膜スイッチング回路と、
前記透光性の中枠に連接され、押下されると前記薄膜スイッチング回路に当接する少なくとも１つのキーと、
前記キーと前記透光性の中枠の間にあって光ビームを生じる光源と、
を含むことを特徴とする発光キーボード。
【請求項２】
前記薄膜スイッチング回路は、
少なくとも１つの上接点と光源回路パターンを備え、前記光源と前記光源回路パターンが設置される上回路基板であって、前記光源回路パターンは前記光源に連接されて前記光源を駆動するものと、
前記上回路基板の下方にあり、前記薄膜スイッチング回路が押下されると前記上接点が入る第１隔離層開孔と前記光源に貫通される第２隔離層開孔を備えた隔離層と、
前記隔離層の下方にあり、前記薄膜スイッチング回路が押下されると前記上接点と接触して前記上接点に対応する下接点と前記光源に貫通される下回路基板開孔とを備えた下回路基板と、
を含み、前記光源は前記第２隔離層開孔と前記下回路基板開孔を順番に貫通して、前記透光性の中枠の中枠開孔に入ることを特徴とする請求項１に記載の発光キーボード。
【請求項３】
前記薄膜スイッチング回路は、
少なくとも１つの上接点を備えた上回路基板と、
前記上回路基板の下方にあり、隔離層開孔と光源回路パターンを備えた隔離層であって、前記隔離層開孔は前記薄膜スイッチング回路が押下されると前記上接点が入り、前記光源と前記光源回路パターンは前記隔離層上に設置され、前記光源回路パターンは前記光源に連接されて前記光源を駆動するものと、
前記隔離層の下方にあり、前記薄膜スイッチング回路が押下されると前記上接点と接触して前記上接点に対応する下接点と前記光源に貫通される下回路基板開孔とを備えた下回路基板と、
を含み、前記光源は前記下回路基板開孔を貫通して前記透光性の中枠の中枠開孔に入ることを特徴とする請求項１に記載の発光キーボード。
【請求項４】
前記薄膜スイッチング回路は、
少なくとも１つの上接点を備えた上回路基板と、
前記上回路基板の下方にあり、前記薄膜スイッチング回路が押下されると前記上接点が入る隔離層開孔を備えた隔離層と、
前記隔離層の下方にあり、前記薄膜スイッチング回路が押下されると前記上接点と接触して前記上接点に対応する下接点と光源回路パターンとを備えた下回路基板と、
を含み、前記光源と前記光源回路パターンは前記上回路基板上に設置され、前記光源は前記透光性の中枠の中枠開孔に入り、前記光源回路パターンは前記光源に連接されて前記光源を駆動することを特徴とする請求項１に記載の発光キーボード。
【請求項５】
前記透光性の中枠の下方にあって前記光ビームを反射し、前記透光性の中枠が湾曲しないようにする支持板を更に含むことを特徴とする請求項１に記載の発光キーボード。
【請求項６】
前記薄膜スイッチング回路と前記透光性の中枠の間にあって前記光ビームを導き、前記光源に貫通される導光フィルム開孔を備えた導光フィルムを更に含み、前記光ビームは前記透光性の中枠、前記導光フィルム、前記支持板、前記導光フィルム、前記透光性の中枠、前記薄膜スイッチング回路及び前記キーを順番に通過することを特徴とする請求項１に記載の発光キーボード。
【請求項７】
前記キーは、
前記発光キーボードの表面に露出して透光領域を備えたキーキャップと、
前記透光性の中枠と前記キーキャップの間にあり、前記透光性の中枠と前記キーキャップを連接して前記キーキャップを前記透光性の中枠に対向して上下移動させる鋏型連接部材と、
前記薄膜スイッチング回路と前記キーキャップの間にあり、前記キーキャップが押下されると、圧縮されて前記薄膜スイッチング回路に当接して、前記上接点と前記下接点とを接触させ、前記キーキャップが押下されなくなると、弾性力を前記キーキャップに提供して、前記キーキャップを復位させる弾性体と、
を含むことを特徴とする請求項１に記載の発光キーボード。
【請求項８】
前記キーキャップは第１キーキャップ固定構造と第２キーキャップ固定構造を備え、前記透光性の中枠は第１中枠固定構造と第２中枠固定構造を備え、前記第１中枠固定構造、前記第２中枠固定構造及び前記透光性の中枠は一体成型とし、前記鋏型連接部材は第１フレームと第２フレームを備え、前記第１フレームの第１端は前記第２中枠固定構造に連接され、前記第１フレームの第２端は前記第１キーキャップ固定構造に連接され、前記第２フレームの第１端は前記第１中枠固定構造に連接され、前記第２フレームの第２端は前記第２キーキャップ固定構造に連接されることを特徴とする請求項７に記載の発光キーボード。
【請求項９】
支持板と、
前記支持板上に設置された透光性の中枠と、
前記透光性の中枠上に設置された薄膜スイッチング回路と、
前記透光性の中枠に連接され、押下されると前記薄膜スイッチング回路に当接する少なくとも１つのキーと、
前記キーと前記支持板の間にあって光源回路パターンを備えた光源フィルムと、
前記光源フィルム上に設置され、前記光源回路パターンに連接され駆動されて光ビームを生じる光源と、
を含むことを特徴とする発光キーボード。
【請求項１０】
前記光源フィルムは前記キーと前記薄膜スイッチング回路の間に設置され、前記薄膜スイッチング回路は、
少なくとも１つの上接点と前記光源に貫通される上回路基板開孔を備えた上回路基板と、
前記上回路基板の下方にあり、前記薄膜スイッチング回路が押下されると前記上接点が入る第１隔離層開孔と前記光源に貫通される第２隔離層開孔を備えた隔離層と、
前記隔離層の下方にあり、前記薄膜スイッチング回路が押下されると前記上接点と接触して前記上接点に対応する下接点と前記光源に貫通される下回路基板開孔を備えた下回路基板と、
を含み、前記光源は前記上回路基板開孔、前記第２隔離層開孔及び前記下回路基板開孔を順番に貫通して前記透光性の中枠に入ることを特徴とする請求項９に記載の発光キーボード。
【請求項１１】
前記光源フィルムは前記薄膜スイッチング回路と前記透光性の中枠の間に設置され、前記透光性の中枠は前記光源が入る中枠開孔を備えることを特徴とする請求項９に記載の発光キーボード。
【請求項１２】
前記光源フィルムは前記透光性の中枠と前記支持板の間に設置され、前記透光性の中枠は前記光源が入る中枠開孔を備えることを特徴とする請求項９に記載の発光キーボード。
【請求項１３】
前記光源フィルムに隣接して前記光ビームを導いて前記光ビームの方向を変更し、前記光源に貫通される導光フィルム開孔を備えた導光フィルムを更に含むことを特徴とする請求項９に記載の発光キーボード。
【請求項１４】
前記キーは、
前記発光キーボードの表面に露出して透光領域を備えたキーキャップと、
前記透光性の中枠と前記キーキャップの間にあり、前記透光性の中枠と前記キーキャップを連接して前記キーキャップを前記透光性の中枠に対向して上下移動させる鋏型連接部材と、
前記薄膜スイッチング回路と前記キーキャップの間にあり、前記キーキャップが押下されると、圧縮されて前記薄膜スイッチング回路に当接して、前記上接点と前記下接点とを接触させ、前記キーキャップが押下されなくなると、弾性力を前記キーキャップに提供して、前記キーキャップを復位させる弾性体と、
を含むことを特徴とする請求項９に記載の発光キーボード。
【請求項１５】
前記キーキャップは第１キーキャップ固定構造と第２キーキャップ固定構造を備え、前記透光性の中枠は第１中枠固定構造と第２中枠固定構造を備え、前記第１中枠固定構造、前記第２中枠固定構造及び前記透光性の中枠は一体成型とし、前記鋏型連接部材は第１フレームと第２フレームを備え、前記第１フレームの第１端は前記第２中枠固定構造に連接され、前記第１フレームの第２端は前記第１キーキャップ固定構造に連接され、前記第２フレームの第１端は前記第１中枠固定構造に連接され、前記第２フレームの第２端は前記第２キーキャップ固定構造に連接されることを特徴とする請求項１４に記載の発光キーボード。
【請求項１６】
透光性の中枠と、
前記透光性の中枠上に設置された薄膜スイッチング回路と、
前記透光性の中枠に連接され、押下されると前記薄膜スイッチング回路に当接する少なくとも１つのキーと、
前記薄膜スイッチング回路と前記キーの間にあり、前記弾性体が光源回路パターンを備えた弾性体フィルムと、
前記弾性体フィルム上に設置されて前記光源回路パターンに連接され駆動されて光ビームを生じる光源と、
を含むことを特徴とする発光キーボード。
【請求項１７】
前記薄膜スイッチング回路は、
少なくとも１つの上接点と前記光源に貫通される上回路基板開孔を備えた上回路基板と、
前記上回路基板の下方にあり、前記薄膜スイッチング回路が押下されると前記上接点が入る第１隔離層開孔と前記光源に貫通される第２隔離層開孔を備えた隔離層と、
前記隔離層の下方にあり、前記薄膜スイッチング回路が押下されると前記上接点と接触して前記上接点に対応する下接点と、前記光源に貫通される下回路基板開孔とを備えた下回路基板と、
を含み、前記光源は前記上回路基板開孔、前記第２隔離層開孔及び前記下回路基板開孔を順番に貫通して前記透光性の中枠の開孔に入ることを特徴とする請求項１６に記載の発光キーボード。
【請求項１８】
前記弾性体フィルムは、前記キーキャップが押下されて前記透光性の中枠に対向して下方移動する際、前記弾性体に貫通されて前記弾性体を前記薄膜スイッチング回路に当接させる薄膜開孔を備えることを特徴とする請求項１７に記載の発光キーボード。
【請求項１９】
前記キーは、
前記発光キーボードの表面に露出して透光領域を備えたキーキャップと、
前記透光性の中枠と前記キーキャップの間にあり、前記透光性の中枠と前記キーキャップを連接して前記キーキャップを前記透光性の中枠に対向して上下移動させる鋏型連接部材と、
前記弾性体フィルム上に設置され、前記キーキャップが押下されると、圧縮されて前記薄膜スイッチング回路に当接して、前記上接点と前記下接点とを接触させ、前記キーキャップが押下されなくなると、弾性力を前記キーキャップに提供して、前記キーキャップを復位させる弾性体と、
を含むことを特徴とする請求項１８に記載の発光キーボード。
【請求項２０】
前記キーキャップは第１キーキャップ固定構造と第２キーキャップ固定構造を備え、前記透光性の中枠は第１中枠固定構造と第２中枠固定構造を備え、前記第１中枠固定構造、前記第２中枠固定構造及び前記透光性の中枠は一体成型とし、前記鋏型連接部材は第１フレームと第２フレームを備え、前記第１フレームの第１端は前記第２中枠固定構造に連接され、前記第１フレームの第２端は前記第１キーキャップ固定構造に連接され、前記第２フレームの第１端は前記第１中枠固定構造に連接され、前記第２フレームの第２端は前記第２キーキャップ固定構造に連接されることを特徴とする請求項１９に記載の発光キーボード。
【請求項２１】
前記導光中枠の下方にあり、前記光ビームを反射して前記導光中枠が湾曲しないようにする支持板と、
前記支持板と前記導光中枠の間にあって前記光ビームを導いて前記光ビームの方向を変更する導光フィルムと、
をさらに含むことを特徴とする請求項１６に記載の発光キーボード。
【発明の詳細な説明】
【技術分野】
【０００１】
本発明はキーボードに関し、より詳しくは発光機能を備えた発光キーボードに関する。
【背景技術】
【０００２】
一般的に、コンピュータ周辺入力装置はマウス、キーボード及びトラックボール等からなり、このうちキーボードは文字や記号をコンピュータに直接キーインできることから、ユーザーや入力装置メーカーに相当重視されている。続いて、従来のキーボードの構造及び機能を説明する。図１は従来のキーボードの外観構造の概略図である。従来キーボード１の表面には複数キーを備え、これらのキーは一般にキー１０、数字キー１１及びファンクションキー１２等に分類され、ユーザーが手指で押下して生じた対応する信号をコンピュータに送信し、コンピュータが押下されたキー機能を実行する。例えば、一般キー１０はアルファベット等の記号の入力用、数字キー１１は数字入力用で、Ｆ１〜Ｆ１２等のファンクションキー１２は各種機能を提供する。
【０００３】
科学技術の進歩に伴い、キーボードメーカーは各種特殊機能を備えたキーボードの研究開発に力を入れて、異なるユーザーの様々なニーズに応えている。発光機能を備えた発光キーボードを例にとり説明すると、図２は従来の発光キーボードの構造の側面概略図である。発光キーボード２はキー２０、金属底板２１、薄膜スイッチング回路２２、光源２３及び導光板２４を備え、キー２０はキーキャップ２０１、鋏型連接部材２０２及び弾性体２０３を備える。発光キーボード２では、前記各部材の上から下への排列順序は、キーキャップ２０１、鋏型連接部材２０２、弾性体２０３、薄膜スイッチング回路２２、金属底板２１及び導光板２４で、光源２３は導光板２４の一側にある。光源２３はフレキシブル回路基板（Ｆｌｅｘｉｂｌｅ  Ｐｒｉｎｔｅｄ  Ｃｉｒｃｕｉｔ、ＦＰＣ）２５によって発光キーボード２の回路基板（図示せず）に連接されて、フレキシブル回路基板２５から電力を得て、光源２３は光ビームＢを生じるが、このうち、光源２３は発光ダイオード（Ｌｉｇｈｔ  Ｅｍｉｔｔｅｒ  Ｄｉｏｄｅ、ＬＥＤ）であって、弾性体２０３は透光性のゴムである。
【０００４】
図２の導光板２４は光ビームＢを導いて光ビームＢをキーボード全体に拡散させることができ、光ビームＢの進行方向を変更して光ビームＢを上向きに進ませることができる。薄膜スイッチング回路２２は第１固定構造２１１、第２固定構造２１２及び２つの開孔２１３を備えた金属底板２１上に設置されて、開孔２１３は弾性体２０３に貫通されて弾性体２０３を薄膜スイッチング回路２２と接触させることができる。キーキャップ２０１は第１キーキャップ固定構造２０１１、第２キーキャップ固定構造２０１２及び透光領域２０１３を備え、鋏型連接部材２０２は第１フレーム２０２１と第２フレーム２０２２を備える。第１フレーム２０２１の第１端２０２１Ａは第２固定構造２１２に連接され、第１フレーム２０２１の第２端２０２１Ｂは第１キーキャップ固定構造２０１１に連接され、第２フレーム２０２２の第１端２０２２Ａは第１固定構造２１１に連接され、第２フレーム２０２２の第２端２０２２Ｂは第２キーキャップ固定構造２０１２に連接される。
【０００５】
図２のキー２が押下されて金属底板２１に対向して下方へ移動すると、鋏型連接部材２０２の第１フレーム２０２１と第２フレーム２０２２は開いた状態から畳んだ状態となり、下方移動するキーキャップ２０１が弾性体２０３に当接して、弾性体２０３を薄膜スイッチング回路２２に当接させて、キー２０に対応するキー信号を生じる。キー２０が押下されなくなると、弾性体２０３は弾性力をキーキャップ２０１に提供して、キーキャップ２０１を金属底板２１に対して上方へ移動させ、第１フレーム２０２１と第２フレーム２０２２が畳んだ状態から開いた状態となってキーキャップ２０１を復位させる。光源２３が光ビームＢを生じると、光ビームＢは導光板２４に進入し、導光板２４は光ビームＢの方向を変更して、一部の光ビームＢは金属底板２１に遮られ、その他の光ビームＢは開孔２１３を貫通して薄膜スイッチング回路２２に進入する。続いて、光ビームＢは薄膜スイッチング回路２２、弾性体２０３及びキーキャップ２０１上の透光領域２０１３を順番に貫通して、キー２０を発光させる。然しながら、従来の発光キーボードは操作の際、金属底板２１下方にある光源２３から生じる大部分の光ビームＢは金属底板２１に遮られることから、照度が不均等となる現象が発生した。
【発明の概要】
【発明が解決しようとする課題】
【０００６】
本発明はこのような従来の問題に鑑みてなされたものである。上記課題解決のため、本発明は照度を均等にする発光キーボードを提供することを主目的とする。
【課題を解決するための手段】
【０００７】
好ましい実施例において、本発明は、透光性の中枠と、透光性の中枠上に設置された薄膜スイッチング回路と、透光性の中枠に連接され、押下されると薄膜スイッチング回路に当接する少なくとも１つのキーと、キーと透光性の中枠の間にあって光ビームを生じる光源とを含むことを特徴とする発光キーボードを提供する。
【０００８】
好ましい実施例において、薄膜スイッチング回路は、少なくとも１つの上接点と光源回路パターンを備え、光源と光源回路パターンが設置される上回路基板であって、光源回路パターンは光源に連接されて光源を駆動するものと、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と光源に貫通される下回路基板開孔とを備えた下回路基板とを含み、光源は第２隔離層開孔と下回路基板開孔を順番に貫通して、透光性の中枠の中枠開孔に入る。
【０００９】
好ましい実施例において、薄膜スイッチング回路は、少なくとも１つの上接点を備えた上回路基板と、上回路基板の下方にあり、隔離層開孔と光源回路パターンを備えた隔離層であって、隔離層開孔は薄膜スイッチング回路が押下されると上接点が入り、光源と光源回路パターンは隔離層上に設置され、光源回路パターンは光源に連接されて光源を駆動するものと、隔離層の下方にあり、薄膜スイッチング回路が押下されると上接点と接触して上接点に対応する下接点と光源に貫通される下回路基板開孔とを備えた下回路基板とを含み、光源は下回路基板開孔を貫通して透光性の中枠の中枠開孔に入る。
【００１０】
好ましい実施例において、薄膜スイッチング回路は、少なくとも１つの上接点を備えた上回路基板と、上回路基板の下方にあり、薄膜スイッチング回路が押下されると上接点が入る隔離層開孔を備えた隔離層と、隔離層の下方にあり、薄膜スイッチング回路が押下されると上接点と接触して上接点に対応する下接点と光源回路パターンとを備えた下回路基板とを含み、光源と光源回路パターンは上回路基板上に設置され、光源は透光性の中枠の中枠開孔に入り、光源回路パターンは光源に連接されて光源を駆動する。
【００１１】
好ましい実施例において、本発明の発光キーボードは、透光性の中枠の下方にあって光ビームを反射し、透光性の中枠が湾曲しないようにする支持板を更に含む。
【００１２】
好ましい実施例において、本発明の発光キーボードは、薄膜スイッチング回路と透光性の中枠の間にあって光ビームを導き、光源に貫通される導光フィルム開孔を備えた導光フィルムを更に含み、光ビームは透光性の中枠、導光フィルム、支持板、導光フィルム、透光性の中枠、薄膜スイッチング回路及びキーを順番に通過する。
【００１３】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、薄膜スイッチング回路とキーキャップの間にあり、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００１４】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００１５】
好ましい実施例において、本発明はまた、支持板と、支持板上に設置された透光性の中枠と、透光性の中枠上に設置された薄膜スイッチング回路と、透光性の中枠に連接され、押下されると薄膜スイッチング回路に当接する少なくとも１つのキーと、キーと支持板の間にあって光源回路パターンを備えた光源フィルムと、光源フィルム上に設置され、光源回路パターンに連接され駆動されて光ビームを生じる光源とを含むことを特徴とする発光キーボードを提供する。
【００１６】
好ましい実施例において、光源フィルムはキーと薄膜スイッチング回路の間に設置され、薄膜スイッチング回路は、少なくとも１つの上接点と光源に貫通される上回路基板開孔を備えた上回路基板と、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と光源に貫通される下回路基板開孔を備えた下回路基板とを含み、光源は上回路基板開孔、第２隔離層開孔及び下回路基板開孔を順番に貫通して透光性の中枠に入る。
【００１７】
好ましい実施例において、光源フィルムは薄膜スイッチング回路と透光性の中枠の間に設置され、透光性の中枠は光源が入る中枠開孔を備える。
【００１８】
好ましい実施例において、光源フィルムは透光性の中枠と支持板の間に設置され、透光性の中枠は光源が入る中枠開孔を備える。
【００１９】
好ましい実施例において、本発明の発光キーボードは、光源フィルムに隣接して光ビームを導いて光ビームの方向を変更し、光源に貫通される導光フィルム開孔を備えた導光フィルムを更に含む。
【００２０】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、薄膜スイッチング回路とキーキャップの間にあり、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００２１】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００２２】
好ましい実施例において、本発明は、透光性の中枠と、透光性の中枠上に設置された薄膜スイッチング回路と、透光性の中枠に連接され、押下されると薄膜スイッチング回路に当接する少なくとも１つのキーと、薄膜スイッチング回路とキーの間にあり、弾性体が光源回路パターンを備えた弾性体フィルムと、弾性体フィルム上に設置されて光源回路パターンに連接され駆動されて光ビームを生じる光源とを含むことを特徴とする発光キーボードを更に提供する。
【００２３】
好ましい実施例において、薄膜スイッチング回路は、少なくとも１つの上接点と光源に貫通される上回路基板開孔を備えた上回路基板と、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と、光源に貫通される下回路基板開孔とを備えた下回路基板とを含み、光源は上回路基板開孔、第２隔離層開孔及び下回路基板開孔を順番に貫通して透光性の中枠の開孔に入る。
【００２４】
好ましい実施例において、弾性体フィルムは、キーキャップが押下されて透光性の中枠に対向して下方移動する際、弾性体に貫通されて弾性体を薄膜スイッチング回路に当接させる薄膜開孔を備える。
【００２５】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、弾性体フィルム上に設置され、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００２６】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００２７】
好ましい実施例において、本発明の発光キーボードは、
導光中枠の下方にあり、光ビームを反射して導光中枠が湾曲しないようにする支持板と、
支持板と導光中枠の間にあって光ビームを導いて光ビームの方向を変更する導光フィルムと、
をさらに含む。
【図面の簡単な説明】
【００２８】
【図１】従来のキーボードの外観構造の概略図である。
【図２】従来の発光キーボードの構造の側面概略図である。
【図３】本発明に係る発光キーボードの第１の好ましい実施形態における構造の概略図である。
【図４】本発明に係る発光キーボードの第１の好ましい実施形態における局部構造の分解図である。
【図５】本発明に係る発光キーボードの第１の好ましい実施形態における局部構造の側面概略図である。
【図６】本発明に係る発光キーボードの第２の好ましい実施形態における局部構造の分解図である。
【図７】本発明に係る発光キーボードの第２の好ましい実施形態における局部構造の側面概略図である。
【図８】本発明に係る発光キーボードの第３の好ましい実施形態における局部構造の分解図である。
【図９】本発明に係る発光キーボードの第３の好ましい実施形態における局部構造の側面概略図である。
【図１０】本発明に係る発光キーボードの第４の好ましい実施形態における局部構造の分解図である。
【図１１】本発明に係る発光キーボードの第４の好ましい実施形態における局部構造の側面概略図である。
【発明を実施するための形態】
【００２９】
以下に図面を参照して本発明を実施するための形態について、詳細に説明する。なお、本発明は、以下に説明する実施形態に限定されるものではない。
（第１実施形態）
【００３０】
本発明の実施形態に係る発光キーボードにつき、図３は本発明に係る発光キーボードの第１の好ましい実施形態における構造の概略図である。発光キーボード３は支持板３０、透光性の中枠３１、複数キー３２、一列の光源３３（図では１つのみ示す）と薄膜スイッチング回路３４を備える。複数キー３２は薄膜スイッチング回路３４上に設置され、薄膜スイッチング回路３４は透光性の中枠３１上に設置され、透光性の中枠３１は支持板３０上に設置される。本好ましい実施形態では、光源３３は発光ダイオードであって、光源３３はキー３２に１対１に対応しておらず、発光キーボード３全体から言えば、一列の光源３３から生じる光ビームで全てのキー３２が発光効果を果たすのに充分である。
【００３１】
続いて発光キーボード３の細部構造を説明する。図３の単一キー３２を例にとり説明すると、図４は本発明に係る発光キーボードの第１の好ましい実施形態における局部構造の分解図である。図４は支持板３０、透光性の中枠３１、キー３２、光源３３及び薄膜スイッチング回路３４を示している。透光性の中枠３１は第１中枠固定構造３１１、第２中枠固定構造３１２及び中枠開孔３１３を備え、第１中枠固定構造３１１、第２中枠固定構造３１２及び透光性の中枠３１は一体成型とし、透光性の中枠３１は透明の材質で製造されることから、透光性の中枠３１は光を遮ることなく、光が貫通する効果を有する。キー３２はキーキャップ３２１、鋏型連接部材３２２及び弾性体３２３を備え、キーキャップ３２１はその上表面にある透光領域３２１１を備え、鋏型連接部材３２２は第１フレーム３２２１と第２フレーム３２２２を備え、本好ましい実施形態では、弾性体３２３は透光性のゴムで製造される。
【００３２】
光源３３は透光性の中枠３１とキー３２の間にあって、光ビームＢ’を生じ（図５参照）、支持板３０は光ビームＢ’を反射する。本好ましい実施形態では、支持板３０は金属で製造され、金属製の支持板３０は好ましい光反射性を有する。薄膜スイッチング回路３４は透光性の中枠３１とキー３２の間にあり、薄膜スイッチング回路３４は上回路基板３４１、隔離層３４２及び下回路基板３４３を備える。上回路基板３４１は少なくとも１つの上接点３４１１を備え、隔離層３４２は隔離層開孔３４２１と光源回路パターン３４２２を備える。隔離層開孔３４２１は薄膜スイッチング回路３４が押下されると、上接点３４１１が入り、光源３３と光源回路パターン３４２２は隔離層３４２上に設置され、光源回路パターン３４２２は光源３３に連接されて光源３３を駆動する。下回路基板３４３は、上接点３４１１に対応する下接点３４３１と下回路基板開孔３４３２を備える。下接点３４３１は薄膜スイッチング回路３４が押下されると上接点３４１１と接触し、下回路基板開孔３４３２は光源３３に貫通される。
【００３３】
図５は本発明に係る発光キーボードの第１の好ましい実施形態における局部構造の側面概略図である。発光キーボード３では、透光性の中枠３１は支持板３０上に設置されて、支持板３０によって透光性の中枠３１の構造強度を強化するので、透光性の中枠３１が湾曲しないようにすることができる。薄膜スイッチング回路３４は透光性の中枠３１上に設置され、光源３３は薄膜スイッチング回路３４の隔離層３４２上に設置される。薄膜スイッチング回路３４では、上回路基板３４１は隔離層３４２上に積層され、隔離層３４２は下回路基板３４３上に積層されて、光源３３が下回路基板開孔３４３２と中枠開孔３１３を貫通する。弾性体３２３は薄膜スイッチング回路３４上に設置され、キーキャップ３２１は弾性体３２３上に設置される。鋏型連接部材３２２は透光性の中枠３１とキーキャップ３２１の間にあり、透光性の中枠３１とキーキャップ３２１を連接してキーキャップ３２１を透光性の中枠３１に対向して上下移動させる。鋏型連接部材３２２の第１フレーム３２２１の第１端３２２１Ａは第２中枠固定構造３１２に連接され、第１フレーム３２２１の第２端３２２１Ｂは第１キーキャップ固定構造３２１２に連接され、鋏型連接部材３２２の第２フレーム３２２２の第１端３２２２Ａは第２キーキャップ固定構造３２１３に連接され、第２フレーム３２２２の第２端３２２２Ｂは第１中枠固定構造３１１に連接される。
【００３４】
キー３２が押下されて透光性の中枠３１に対向して下方へ移動すると、鋏型連接部材３２２の第１フレーム３２２１と第２フレーム３２２２は開いた状態から畳んだ状態となり、下方移動するキーキャップ３２１は弾性体３２３に当接して、弾性体３２３が薄膜スイッチング回路３４に当接する。薄膜スイッチング回路３４では、上接点３４１１が隔離層開孔３４２１に入り、下接点３４３１と接触して上接点３４１１と下接点３４３１の間が電気的に導通されることによって、キー３２に対応するキー信号を生じる。キー３２が押下されなくなると、弾性体３２３は弾性力をキーキャップ３２１に提供して、キーキャップ３２１を透光性の中枠３１に対向して上方へ移動させると、第１フレーム３２２１と第２フレーム３２２２は畳んだ状態から開いた状態となってキーキャップ３２１を復位させる。
【００３５】
光源３３が光ビームＢ’を生じると、図５の一部の光ビームＢ’は下向きに投射されて透光性の中枠３１に進入して、透光性の中枠３１内を進み、続いて光ビームＢ’は透光性の中枠３１を貫通して支持板３０に反射されてその進行方向を変更して、再度透光性の中枠３１を貫通して薄膜スイッチング回路３４に進入する。薄膜スイッチング回路３４を貫通した光ビームＢ’は弾性体３２３をも貫通してキーキャップ３２１に投射されて、キーキャップ３２１上にある透光領域３２１１を貫通することで、発光キーボード３は発光することができる。上記により、透光性の中枠３１と薄膜スイッチング回路３４の間にある光源３３から生じた光ビームＢ’の進行ルートは、順番に、下向きに透光性の中枠３１に進入し、支持板３０に反射されて、上向きに透光性の中枠３１、薄膜スイッチング回路３４及びキー３２の透光領域３２１１に進入することが分かる。
【００３６】
因みに、キーキャップ３２１上の透光領域３２１１は、キーキャップ３２１の表面にアルファベット又は記号を有する領域であり、例えば、Ａキー上はＡというアルファベットのある領域である。上記構造によって、光ビームＢ’が透光領域３２１１を貫通すると、キー３２上のアルファベット又は記号が発光することができる。
（第２実施形態）
【００３７】
図６は本発明に係る発光キーボードの第２の好ましい実施形態における局部構造の分解図である。発光キーボード４は支持板４０、透光性の中枠４１、少なくとも１つのキー４２（１つのキーで説明）、光源４３、薄膜スイッチング回路４４及び導光フィルム４５を備える。透光性の中枠４１は第１中枠固定構造４１１、第２中枠固定構造４１２及び中枠開孔４１３を備え、第１中枠固定構造４１１、第２中枠固定構造４１２及び透光性の中枠４１は一体成型とする。透光性の中枠４１は透明の材質で製造されることから光を遮ることなく、光が貫通する効果を有する。キー４２はキーキャップ４２１、鋏型連接部材４２２及び弾性体４２３を備え、キーキャップ４２１はその上表面にある透光領域４２１１を備え、鋏型連接部材４２２は第１フレーム４２２１と第２フレーム４２２２を備え、本好ましい実施形態では、弾性体４２３は透光性のゴムで製造される。
【００３８】
光源４３は透光性の中枠４１とキー４２の間にあって、光ビームＢ’を生じる（図７参照）。本好ましい実施形態では、光源４３は発光ダイオードであって、支持板４０は光ビームＢ’を反射する。薄膜スイッチング回路４４は透光性の中枠４１とキー４２の間にあり、薄膜スイッチング回路４４は上回路基板４４１、隔離層４４２及び下回路基板４４３を備える。上回路基板４４１は少なくとも１つの上接点４４１１と光源回路パターン４４１２を備え、光源４３と光源回路パターン４４１２は上回路基板４４１上に設置され、光源回路パターン４４１２は光源４３に連接されて光源４３を駆動する。隔離層４４２は第１隔離層開孔４４２１と第２隔離層開孔４４２２を備える。第１隔離層開孔４４２１は薄膜スイッチング回路４４が押下されると上接点４４１１が入り、第２隔離層開孔４４２２は光源４３に貫通される。下回路基板４４３は上接点４４１１に対応する下接点４４３１と下回路基板開孔４４３２を備える。下接点４４３１は、薄膜スイッチング回路４４が押下されると、上接点４４１１と接触し、下回路基板開孔４４３２は光源４３に貫通される。導光フィルム４５は光ビームＢ’を導いて、光ビームＢ’をその他のキー４２の下方にある透光性の中枠４１に拡散させ、又は光ビームＢ’の進行方向を変更させることができる。
【００３９】
図７は本発明に係る発光キーボードの第２の好ましい実施形態における局部構造の側面概略図である。発光キーボード４では、透光性の中枠４１は支持板４０上に設置されて、支持板４０によって透光性の中枠４１の構造強度が強化されることから、透光性の中枠４１が湾曲しないようにすることができる。また、導光フィルム４５は支持板４０と透光性の中枠４１の間にある。薄膜スイッチング回路４４は透光性の中枠４１上に設置され、光源４３は薄膜スイッチング回路４４の上回路基板４４１上に設置される。薄膜スイッチング回路４４では、上回路基板４４１は隔離層４４２上に積層され、隔離層４４２は下回路基板４４３上に積層されて、光源４３が第２隔離層開孔４４２２、下回路基板開孔４４３２及び中枠開孔４１３を貫通する。キーキャップ４２１は弾性体４２３上に設置され、弾性体４２３は薄膜スイッチング回路４４上に設置され、キーキャップ４２１が押下されて弾性体４２３が圧縮されると、弾性体４２３はその下方の薄膜スイッチング回路４４に当接することができる。薄膜スイッチング回路４４では、上接点４４１１は第１隔離層開孔４４２１に入り、下接点４４３１と接触して上接点４４１１と下接点４４３１の間が電気的に導通されることで、キー４２に対応するキー信号を生じる。鋏型連接部材４２２は透光性の中枠４１とキーキャップ４２１の間にあり、透光性の中枠４１とキーキャップ４２１を連接してキーキャップ４２１を透光性の中枠４１に対向して上下移動させる。鋏型連接部材４２２の第１フレーム４２２１と第２フレーム４２２２、透光性の中枠４１とキーキャップ４２１との間の連接関係については第１好ましい実施形態と全く同じにつき、これ以上詳述しない。
【００４０】
キー４２が押下されて透光性の中枠４１に対向して下方へ移動すると、鋏型連接部材４２２の第１フレーム４２２１と第２フレーム４２２２は開いた状態から畳んだ状態となり、下方へ移動するキーキャップ４２１が弾性体４２３に当接して、弾性体４２３を薄膜スイッチング回路４４に当接させることから、上回路基板４４１の上接点４４１１と下回路基板４４３の下接点４４３１が電気的に導通されて、キー４２に対応するキー信号を生じる。そして、キー４２が押下されなくなると、弾性体４２３は弾性力をキーキャップ４２１に提供して、キーキャップ４２１を透光性の中枠４１に対向して上方へ移動させると、第１フレーム４２２１と第２フレーム４２２２は畳んだ状態から開いた状態となってキーキャップ４２１を復位させる。
【００４１】
光源４３が光ビームＢ’を生じると、一部の光ビームＢ’は下向きに投射されて透光性の中枠４１に進入して透光性の中枠４１内を進み、続いて光ビームＢ’は透光性の中枠４１を貫通して導光フィルム４５内を進み、導光フィルム４５を貫通した光ビームＢ’は、支持板４０に反射されてその進行方向を変更して、導光フィルム４５と透光性の中枠４１を貫通して薄膜スイッチング回路４４に進入する。光ビームＢ’は薄膜スイッチング回路４４と弾性体４２３を貫通してキーキャップ４２１に投射され、キーキャップ４２１上にある透光領域４２１１を貫通させることで、発光キーボード４が発光することができる。導光フィルム４５を貫通せず、しかも支持板４０に反射されない光ビームＢ’は導光フィルム４５に導かれてその他のキー４２の下方にある透光性の中枠４１に拡散することができる。上記により、導光フィルム４５の導きを省略した光ビームＢ’の場合、透光性の中枠４１と薄膜スイッチング回路４４間にある光源４３から生じる光ビームＢ’の進行ルートは順番に、下向きに透光性の中枠４１に進入し、下向きに導光フィルム４５に進入し、支持板４０に反射され、上向きに導光フィルム４５に進入し、上向きに透光性の中枠４１、薄膜スイッチング回路４４及びキー４２の透光領域４２１１に進入することが分かる。
【００４２】
本好ましい実施形態では、別途、透光性の中枠４１と支持板４０の間に導光フィルム４５を設置して、光源４３から生じる光ビームＢ’をその他のキー４２の下方にある透光性の中枠４１に拡散させて、照度を均等にすることができる。
【００４３】
別の好ましい実施形態では、光源を薄膜スイッチング回路の下回路基板上に設置することもできるが、こうした状況では、下回路基板は下回路基板開孔を設置する必要が無く、その他の構造は本好ましい実施形態と殆ど全く同じで、当業者に公知であることから、これ以上説明しない。
（第３実施形態）
【００４４】
図８は本発明に係る発光キーボードの第３の好ましい実施形態における局部構造の分解図である。発光キーボード５は支持板５０、透光性の中枠５１、少なくとも１つのキー５２（１つのキーで説明）、光源５３、薄膜スイッチング回路５４、光源フィルム５５及び導光フィルム５６を備える。透光性の中枠５１は第１中枠固定構造５１１、第２中枠固定構造５１２及び中枠開孔５１３を備え、第１中枠固定構造５１１、第２中枠固定構造５１２と透光性の中枠５１は一体成型とし、透光性の中枠５１は透明の材質で製造されることから、透光性の中枠５１は光を遮らず、光が貫通する効果を有する。キー５２はキーキャップ５２１、鋏型連接部材５２２及び弾性体５２３を備え、キーキャップ５２１はその上表面にある透光領域５２１１を備え、鋏型連接部材５２２は第１フレーム５２２１と第２フレーム５２２２を備え、本好ましい実施形態では、弾性体５２３は透光性のゴムで製造される。
【００４５】
支持板５０は透光性の中枠５１の下方にあって光ビームＢ’を反射する。薄膜スイッチング回路５４は透光性の中枠５１とキー５２の間にあって、上回路基板５４１、隔離層５４２及び下回路基板５４３を備える。上回路基板５４１は少なくとも１つの上接点５４１１を備え、隔離層５４２は薄膜スイッチング回路５４が押下されると上接点５４１１が入る隔離層開孔５４２１を備える。下回路基板５４３は、薄膜スイッチング回路５４が押下されると上接点５４１１と接触して上接点５４１１に対応する下接点５４３１を備える。光源フィルム５５は透光性の中枠５１と支持板５０の間に設置され、光源フィルム５５は光源回路パターン５５１を備え、光源５３は光源フィルム５５上に設置されて光源回路パターン５５１に連接され、光源回路パターン５５１に駆動されて光ビームＢ’を生じる（参照図９）。本好ましい実施形態では、光源フィルム５５は透明のマイラー片(Mylar)であって、光ビームＢ’が貫通することができ、光源５３は発光ダイオードである。導光フィルム５６は光源フィルム５５に隣接し、本好ましい実施形態では、導光フィルム５６は光源フィルム５５の上方に設置される。導光フィルム５６は光ビームＢ’を導いてこの光ビームＢ’の方向を変更し、光源５３に貫通される導光フィルム開孔５６１を備える。
【００４６】
図９は本発明に係る発光キーボードの第３の好ましい実施形態における局部構造の側面概略図である。発光キーボード５では、透光性の中枠５１は支持板５０上に設置されて支持板５０によって透光性の中枠５１の構造強度が強化されることから、透光性の中枠５１が湾曲しないようにすることができる。光源フィルム５５は支持板５０と透光性の中枠５１の間に設置され、導光フィルム５６は光源フィルム５５上に設置され、光源５３は導光フィルム開孔５６１と中枠開孔５１３を貫通して透光性の中枠５１内に入る。薄膜スイッチング回路５４は透光性の中枠５１上に設置され、薄膜スイッチング回路５４では、上回路基板５４１は隔離層５４２上に積層され、隔離層５４２は下回路基板５４３上に積層される。キーキャップ５２１は弾性体５２３上に設置され、弾性体５２３は薄膜スイッチング回路５４上に設置され、キーキャップ５２１が押下されて弾性体５２３が圧縮されると、弾性体５２３はその下方の薄膜スイッチング回路５４に当接することができる。上接点５４１１は隔離層開孔５４２１に入り、下接点５４３１と接触して上接点５４１１と下接点５４３１の間が電気的に導通されることで、キー５２に対応するキー信号を生じる。鋏型連接部材５２２は透光性の中枠５１とキーキャップ５２１の間にあって、透光性の中枠５１とキーキャップ５２１を連接してキーキャップ５２１を透光性の中枠５１に対向して上下移動させる。鋏型連接部材５２２の第１フレーム５２２１と第２フレーム５２２２、透光性の中枠５１とキーキャップ５２１の間の連接関係、並びにキー５２が押下される操作状況は、第１好ましい実施形態と全く同じにつき、これ以上詳述しない。
【００４７】
光源５３が光ビームＢ’を生じると、一部の光ビームＢ’は下向きに投射されて透光性の中枠５１に進入して透光性の中枠５１内を進み、続いて光ビームＢ’は透光性の中枠５１を貫通して導光フィルム５６内を進み、導光フィルム５６を貫通した光ビームＢ’は、光源フィルム５５を貫通して支持板５０に反射されてその進行方向を変更し、光源フィルム５５、導光フィルム５６及び透光性の中枠５１を貫通して薄膜スイッチング回路５４に進入する。光ビームＢ’は薄膜スイッチング回路５４と弾性体５２３を貫通してキーキャップ５２１に投射され、キーキャップ５２１上にある透光領域５２１１を貫通させることで、発光キーボード５が発光することができる。導光フィルム５６を貫通せず、しかも支持板５０に反射されない光ビームＢ’は、導光フィルム５６に導かれてその他のキー５２の下方にある透光性の中枠５１に拡散することができる。上記により、導光フィルム５６の導きを省略した光ビームＢ’の場合、透光性の中枠５１と薄膜スイッチング回路５４間にある光源５３から生じる光ビームＢ’の進行ルートは、順番に、下向きに透光性の中枠５１に進入し、下向きに導光フィルム５６に進入し、下向きに光源フィルム５５に進入し、支持板５０に反射され、上向きに導光フィルム５５に進入し、上向きに導光フィルム５６に進入し、上向きに透光性の中枠５１、薄膜スイッチング回路５４及びキー５２の透光領域５２１１に進入することが分かる。
【００４８】
本好ましい実施形態では、光源５３を光源フィルム５５上に設置し、薄膜スイッチング回路５４内には設置しないことから、市販されている既存の薄膜スイッチング回路５４を直接採用して、本発明の発光キーボード５内に設置すれば、薄膜スイッチング回路５４上に開孔を設置して光源５３を入れる必要が無い。
【００４９】
別の好ましい実施形態では、光源フィルムは薄膜スイッチング回路と透光性の中枠の間に設置され、こうした状況では、光源は下向きに設置して光源を透光性の中枠の中枠開孔内に入れなければならないが、その他の構造は本好ましい実施形態と殆ど全く同じである。或いは、光源フィルムはキーと薄膜スイッチング回路の間に設置され、薄膜スイッチング回路は下向きに設置した光源がこの開孔内に入るよう開孔を設置しなければならないが、その他の構造は本好ましい実施形態と殆ど全く同じで、当業者に公知であることから、これ以上説明しない。
（第４実施形態）
【００５０】
図１０は本発明に係る発光キーボードの第４の好ましい実施形態における局部構造の分解図である。発光キーボード６は支持板６０、透光性の中枠６１、少なくとも１つのキー６２（１つのキーで説明）、光源６３、薄膜スイッチング回路６４、及び弾性体フィルム６５を備える。透光性の中枠６１は第１中枠固定構造６１１、第２中枠固定構造６１２及び中枠開孔６１３を備え、第１中枠固定構造６１１、第２中枠固定構造６１２と透光性の中枠６１は一体成型とし、透光性の中枠６１は透明の材質で製造されることから、透光性の中枠６１は光を遮らず、光が貫通する効果を有する。キー６２はキーキャップ６２１、鋏型連接部材６２２及び弾性体６２３を備え、キーキャップ６２１はその上表面にある透光領域６２１１を備え、鋏型連接部材６２２は第１フレーム６２２１と第２フレーム６２２２を備え、本好ましい実施形態では、弾性体６２３は透光性のゴムで製造される。
【００５１】
弾性体フィルム６５は薄膜スイッチング回路６４とキー６２の間にあり、弾性体フィルム６５は光源回路パターン６５１と薄膜開孔６５２を備え、光源６３は弾性体フィルム６５上に設置されて光源回路パターン６５１に連接され、光源回路パターン６５１が駆動して光ビームＢ’（参照図１１）を生じる。本好ましい実施形態では、弾性体フィルム６５は透明のマイラー片で、光源６３は発光ダイオードである。弾性体６２３は弾性体フィルム６５上に設置され、弾性体６２３が圧迫されると、弾性体６２３は薄膜開孔６５２を貫通して弾性体６２３は薄膜スイッチング回路６４に当接するが、本好ましい実施形態では、弾性体６２３は接着剤によって弾性体フィルム６５上に固定される。
【００５２】
透光性の中枠６１は薄膜スイッチング回路６４の下方にあり、支持板６０は透光性の中枠６１の下方にあって光ビームＢ’を反射する。薄膜スイッチング回路６４は透光性の中枠６１とキー６２の間にあって、上回路基板６４１、隔離層６４２及び下回路基板６４３を備える。上回路基板６４１は少なくとも１つの上接点６４１１と上回路基板開孔６４１２を備え、隔離層６４２は、薄膜スイッチング回路６４が押下されると上接点６４１１が入る第１隔離層開孔６４２１と、光源６３に貫通される第２隔離層開孔６４２２とを備える。下回路基板６４３は、薄膜スイッチング回路６４が押下されると上接点６４１１と接触して上接点６４１１に対応する下接点６４３１と、光源６３に貫通される下回路基板開孔６４３２を備える。
【００５３】
図１１は本発明に係る発光キーボードの第４の好ましい実施形態における局部構造の側面概略図である。発光キーボード６では、透光性の中枠６１は支持板６０上に設置されて、支持板６０によって透光性の中枠６１の構造強度が強化されることから、透光性の中枠６１が湾曲しないようにすることができる。薄膜スイッチング回路６４は透光性の中枠６１上に設置され、薄膜スイッチング回路６４では、上回路基板６４１は隔離層６４２上に積層され、隔離層６４２は下回路基板６４３上に積層される。弾性体フィルム６５は薄膜スイッチング回路６４上に設置され、光源６３は上回路基板開孔６４１２、第２隔離層開孔６４２２、下回路基板開孔６４３２及び中枠開孔６１３を順番に貫通して透光性の中枠６１内に入る。弾性体６２３は弾性体フィルム６５上に設置され、キーキャップ６２１は弾性体６２３上に設置され、キーキャップ６２１が押下されて弾性体６２３が圧縮されると、弾性体６２３はその下方の薄膜スイッチング回路６４に当接することができる。上接点６４１１は隔離層開孔６４２１に入り、下接点６４３１と接触して、上接点６４１１と下接点６４３１の間が電気的に導通されることで、キー６２に対応するキー信号を生じる。鋏型連接部材６２２は透光性の中枠６１とキーキャップ６２１の間にあり、透光性の中枠６１とキーキャップ６２１を連接してキーキャップ６２１を透光性の中枠６１に対向して上下移動させる。鋏型連接部材６２２の第１フレーム６２２１、第２フレーム６２２２及び透光性の中枠６１とキーキャップ６２１の間の連接関係並びにキー６２が押下される操作状況は第１好ましい実施形態と全く同じであるので、これ以上詳述しない。
【００５４】
光源６３が光ビームＢ’を生じると、一部の光ビームＢ’は下向きに投射されて透光性の中枠６１に進入して、透光性の中枠６１内を進み、続いて光ビームＢ’は透光性の中枠６１を貫通して支持板６０に反射されてその進行方向を変更して、再度透光性の中枠６１を貫通して薄膜スイッチング回路６４に進入する。薄膜スイッチング回路６４を貫通した光ビームＢ’は弾性体薄膜６５と弾性体６２３をも貫通してキーキャップ６２１に投射されて、キーキャップ６２１上にある透光領域６２１１を貫通することで、発光キーボード６は発光することができる。上記により、透光性の中枠６１と薄膜スイッチング回路６４の間にある光源６３から生じた光ビームＢ’の進行ルートは、順番に、下向きに透光性の中枠６１に進入し、支持板６０に反射されて、上向きに透光性の中枠６１、薄膜スイッチング回路６４及びキー６２の透光領域６２１１に進入することが分かる。
【００５５】
因みに、本好ましい実施形態は第２好ましい実施形態のように、別途、透光性の中枠上に導光フィルムを設置することも可能であり、或いは、導光フィルムを透光性の中枠と金属底板の間に設置することも可能である。
【００５６】
上記の様々な好ましい実施形態により、本発明に係る発光キーボードの透光性の中枠は、従来の金属底板と同じ機能を備えており、即ち、鋏型連接部材に連接されて、キーと透光性の中枠（又は従来の金属底板）を組合せることが分かる。また、透光性の中枠は透明の材質で製造され、光源を透光性の中枠の上方又は下方若しくはキーと支持板の間のどの位置にも設置することができ、光ビームは透光性の中枠を下向きに貫通又は上向きに貫通することができ、従来の金属底板に遮られないことから、キーキャップを貫通する光ビームは高い輝度を生じることができ、しかも光ビームが従来の金属底板に遮られて照度が不均等な現象を生じることがないことが分かる。即ち、透明な材質で製造された透光性の中枠が光ビームに貫通されるので、光源が設置可能な位置は従来の発光キーボードのように限制されず、光源をキーと支持板の間のどの位置にも設置することができる。
【００５７】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５８】
１、２、３、４、５、６  キーボード      
１０  一般キー    
１１  数字キー    
１２  ファンクションキー    
２０、３２、４２、５２、６２  キー    
２１  金属底板    
２２、３４、４４、５４、６４  薄膜スイッチング回路
２３、３３、４３、５３、６３  光源    
２４  導光板    
２５  フレキシブル回路基板    
３０、４０、５０、６０  支持板    
３１、４１、５１、６１  透光性の中枠    
４５、５６  導光フィルム    
５５  光源フィルム    
６５  弾性体フィルム    
２０１、３２１、４２１、５２１、６２１  キーキャップ
２０２、３２２、４２２、５２２、６２２  鋏型連接部材
２０３、３２３、４２３、５２３、６２３  弾性体
２１１  第１固定構造    
２１２  第２固定構造    
２１３  開孔    
３１１、４１１、５１１、６１１  第１中枠固定構造
３１２、４１２、５１２、６１２  第２中枠固定構造
３１３、４１３、６１３  中枠開孔    
３４１、４４１、５４１、６４１  上回路基板
３４２、４４２、５４２、６４２  隔離層
３４３、４４３、５４３、６４３  下回路基板  
５５１、６５１、３４２２、４４１２  光源回路パターン
６５２  薄膜開孔
２０１１、３２１２、４２１２、５２１２、６２１２  第１キーキャップ固定構造
２０１２、３２１３、４２１３、５２１３、６２１３  第２キーキャップ固定構造
２０２１、３２２１、４２２１、５２２１、６２２１  第１フレーム
２０２２、３２２２、４２２２、５２２２、６２２２  第２フレーム
３２１１、４２１１、５２１１、６２１１  透光領域
３４１１、４４１１、５４１１、６４１１  上接点
３４２１、４４２１、４４２２、６４２１、６４２２  隔離層開孔
３４３１、４４３１、５４３１、６４３１  下接点
３４３２、４４３２、６４３２  下回路基板開孔
６４１２  上回路基板開孔
２０２１Ａ、３２２１Ａ  第１フレームの第１端  
２０２１Ｂ、３２２１Ｂ  第１フレームの第２端  
２０２２Ａ、３２２２Ａ  第２フレームの第１端  
２０２２Ｂ、３２２２Ｂ  第２フレームの第２端  
Ｂ、Ｂ’  光ビーム    
【図１】
2012079277.tif 000003
【図２】
2012079277.tif 000004
【図３】
2012079277.tif 000005
【図４】
2012079277.tif 000006
【図５】
2012079277.tif 000007
【図６】
2012079277.tif 000008
【図７】
2012079277.tif 000009
【図８】
2012079277.tif 000010
【図９】
2012079277.tif 000011
【図１０】
2012079277.tif 000012
【図１１】
2012079277.tif 000013